(57)【要約】【課題】画像表示プロジェクタにおいて、ランプホルダーからのアウトガスの発生を防いで、アウトガスを原因とするカラーホイールの品質劣化を防止する。【解決手段】ランプホルダーは、カバーガラス７０と、ランプ本体の正面方向及び上面方向が開放された開放部を有する樹脂製の樹脂カバー部４０と、この樹脂カバー部４０の開放部に取り付けられる金属製のカバープレート５０と、このカバープレート５０に取り付けられ、カバープレート５０と共にカバーガラス７０を挟持する金属製の保持プレート６０とを備える。ランプホルダーの最もアウトガスが発生しやすい位置に金属製のカバープレート５０が配置され、樹脂製の樹脂カバー部４０が配置されることがないため、ランプホルダーからのアウトガスの発生を防ぐことができる。【選択図】図７
0003104472.tif 000002
【実用新案登録請求の範囲】
【請求項１】
ランプユニットから出射された光を所定色に配色するためのカラーホイールを有し、前記カラーホイールを通過した光により画像を投射する画像投射ユニットと、
ランプ本体及びこのランプ本体を保持するためのランプホルダーを有するランプユニットとを備えた画像表示プロジェクタにおいて、
前記ランプホルダーは、前記ランプ本体の前面をカバーするための前面ケースと、前記ランプ本体の底面及びランプ本体の背面の下方をカバーするための背面ケースと、前記ランプ本体の上面及びランプ本体の背面の上方をカバーするための上面ケースとから構成され、これら前面ケース、背面ケース、上面ケースは相互に結合されることにより前記ランプ本体を保持するものであり、
前記前面ケースは、
前記ランプ本体から出射された光が前記画像投射ユニットに入射する際に通過するカバーガラスと、
前記ランプ本体の前方を覆うように形成され、該ランプ本体の正面方向及び上面方向が開放された開放部を有する樹脂製の樹脂カバー部と、  
前記樹脂カバー部の前記開放部に取り付けられ、該開放部の正面側を塞ぐように形成された正面プレート部と、該正面プレート部の上端から前記開放部の上面側を塞ぐように延設された上面プレート部と、前記正面プレート部に形成され、前記ランプ本体から出射される光が通過するカバープレート側投射窓と、前記正面プレート部の前記カバープレート側投射窓の周囲に形成され、該カバープレート側投射窓に取り付けられる前記カバーガラスを位置決めするための複数の凸状突起からなる凸部とを有するＳＥＣＣ製のカバープレートと、
前記カバープレートの正面プレート部に取り付けられ、前記ランプ本体から出射される光が通過する保持プレート側投射窓と、前記正面プレート部の凸部に対応する位置に該凸部と係合するように形成された係合孔とを有し、該係合孔と前記凸部とを係合させた状態で、前記保持プレート側投射窓の縁部と前記カバープレート側投射窓の縁部で前記カバーガラスを挟むことにより、前記カバーガラスを所定位置で挟持する金属製の保持プレートと
を備えることを特徴とする画像表示プロジェクタ。
【請求項２】
ランプユニットから出射された光を所定色に配色するためのカラーホイールを有し、前記カラーホイールを通過した光により画像を投射する画像投射ユニットと、
ランプ本体及びこのランプ本体を保持するためのランプホルダーを有するランプユニットとを備えた画像表示プロジェクタにおいて、
前記ランプホルダーは、
前記ランプ本体の前方を覆うように形成され、前記ランプ本体の正面方向が開放された開放部を有する樹脂製の樹脂カバー部と、
前記樹脂カバー部の開放部を塞ぐように前記開放部に取り付けられ、前記ランプ本体から出射される光が通過するカバープレート側投射窓を有する金属製のカバープレートと
を有すること特徴とする画像表示プロジェクタ。
【請求項３】
前記ランプ本体から出射された光が前記画像投射ユニットに入射する際に通過するカバーガラスと、
前記カバープレートに取り付けられ、前記ランプ本体から出射される光が通過する保持プレート側投射窓を有し、該保持プレート側投射窓の縁部と前記カバープレート側投射窓の縁部で前記カバーガラスを挟むことにより前記カバーガラスを所定位置で挟持する金属製の保持プレートと
を有することを特徴とする請求項２に記載の画像表示プロジェクタ。
【考案の詳細な説明】
【技術分野】
【０００１】
本考案は、画像をスクリーン等に投射する画像表示プロジェクタに関する。
【背景技術】
【０００２】
従来から、パソコンやビデオカメラ等からの画像データを基に画像形成素子にて画像生成し、その画像をスクリーン等に投影表示する画像表示プロジェクタが知られている。この種の画像表示プロジェクタは、光を投光するランプユニットと、画像形成素子にて形成した画像をランプユニットからの光により投射する画像投射ユニットとを備えている。
【０００３】
ランプユニットは、ランプホルダー内にランプ本体が保持された構造になっており、ランプ本体が劣化や寿命により使用不能になったときにランプ本体を交換できるように、画像表示プロジェクタ本体に着脱可能になっている。このようなランプホルダーには、通常、樹脂等の材料が使用されるが、ランプ点灯時にランプホルダー内が高温になるため、耐熱性の低い樹脂を材料として使用した場合、樹脂からアウトガスが発生してカラーホイールに付着し、スクリーン上に投影される光の輝度やコントラスト等が急激に低下する虞があった。このため、従来からランプホルダーには、例えば、ＬＣＰ（Liquid  Crystal  Polyester）等のような耐熱性に優れた樹脂が使用されている。しかしながら、ＬＣＰを用いると、材料費が高くなるためコストダウンに限界がある。
【０００４】
ところで、電子機器に用いられる部材として、異なる材質の部品を組み合わせることによりコストダウンを図ると共に、各材料の特性を活かして所定の目的を達成することができるようにした部材が知られており、例えば、電子機器の筐体を材質の異なる複数の筐体部で構成することにより、各材料の特性を活かして高級感を演出することができるようにした電子機器用の筐体が知られている（例えば、特許文献１参照）。
【特許文献１】特開２００２−４３７６８号公報
【考案の開示】
【考案が解決しようとする課題】
【０００５】
しかしながら、上記特許文献１に記載の発明は、異なる材質の部品を組み合わせることによりコストダウンをすることができると共に、各材料の特性を活かして所定の目的を達成することができるものの、筐体の高級感を演出することが目的であるため、上述したような樹脂材料からのアウトガスの発生を防止することはできない。
【０００６】
本考案は上記課題を解決するためになされたものであり、アウトガスの発生を防いでアウトガスを原因とするカラーホイールの品質劣化を防止し、製品寿命が極端に短くなることを防ぐことができる画像表示プロジェクタを提供することを目的とする。
【課題を解決するための手段】
【０００７】
上記目的を達成するために請求項１の考案は、ランプユニットから出射された光を所定色に配色するためのカラーホイールを有し、前記カラーホイールを通過した光により画像を投射する画像投射ユニットと、ランプ本体及びこのランプ本体を保持するためのランプホルダーを有するランプユニットとを備えた画像表示プロジェクタにおいて、前記ランプホルダーは、前記ランプ本体の前面をカバーするための前面ケースと、前記ランプ本体の底面及びランプ本体の背面の下方をカバーするための背面ケースと、前記ランプ本体の上面及びランプ本体の背面の上方をカバーするための上面ケースとから構成され、これら前面ケース、背面ケース、上面ケースは相互に結合されることにより前記ランプ本体を保持するものであり、前記前面ケースは、前記ランプ本体から出射された光が前記画像投射ユニットに入射する際に通過するカバーガラスと、前記ランプ本体の前方を覆うように形成され、該ランプ本体の正面方向及び上面方向が開放された開放部を有する樹脂製の樹脂カバー部と、前記樹脂カバー部の前記開放部に取り付けられ、該開放部の正面側を塞ぐように形成された正面プレート部と、該正面プレート部の上端から前記開放部の上面側を塞ぐように延設された上面プレート部と、前記正面プレート部に形成され、前記ランプ本体から出射される光が通過するカバープレート側投射窓と、前記正面プレート部の前記カバープレート側投射窓の周囲に形成され、該カバープレート側投射窓に取り付けられる前記カバーガラスを位置決めするための複数の凸状突起からなる凸部とを有するＳＥＣＣ製のカバープレートと、前記カバープレートの正面プレート部に取り付けられ、前記ランプ本体から出射される光が通過する保持プレート側投射窓と、前記正面プレート部の凸部に対応する位置に該凸部と係合するように形成された係合孔とを有し、該係合孔と前記凸部とを係合させた状態で、前記保持プレート側投射窓の縁部と前記カバープレート側投射窓の縁部で前記カバーガラスを挟むことにより、前記カバーガラスを所定位置で挟持する金属製の保持プレートとを備えることを特徴とする。
【０００８】
請求項２の考案は、ランプユニットから出射された光を所定色に配色するためのカラーホイールを有し、前記カラーホイールを通過した光により画像を投射する画像投射ユニットと、ランプ本体及びこのランプ本体を保持するためのランプホルダーを有するランプユニットとを備えた画像表示プロジェクタにおいて、前記ランプホルダーは、前記ランプ本体の前方を覆うように形成され、前記ランプ本体の正面方向が開放された開放部を有する樹脂製の樹脂カバー部と、前記樹脂カバー部の開放部を塞ぐように前記開放部に取り付けられ、前記ランプ本体から出射される光が通過するカバープレート側投射窓を有する金属製のカバープレートとを有すること特徴とする。
【０００９】
請求項３の考案は、請求項２に記載の画像表示プロジェクタにおいて、前記ランプ本体から出射された光が前記画像投射ユニットに入射する際に通過するカバーガラスと、前記カバープレートに取り付けられ、前記ランプ本体から出射される光が通過する保持プレート側投射窓を有し、該保持プレート側投射窓の縁部と前記カバープレート側投射窓の縁部で前記カバーガラスを挟むことにより前記カバーガラスを所定位置で挟持する金属製の保持プレートとを有することを特徴とする。
【考案の効果】
【００１０】
以上のように請求項１の考案によれば、ランプホルダーの樹脂カバー部は、最も強く投射光が照射されるランプ本体の正面方向、及び熱対流により運ばれる高温の空気に触れる上面方向に開放部を有し、この開放部にはＳＥＣＣ（電気亜鉛めっき鋼板）製のカバープレートが取り付けられているため、最もアウトガスが発生しやすい位置にはＳＥＣＣ製の部材が配置され、樹脂製の部材が配置されることがない。このため、ランプホルダーからのアウトガスの発生を防いでカラーホイールの品質劣化を防止することができると共に、樹脂カバー部の材料には耐熱性の低い樹脂材料を用いることができ、ランプホルダー製造の際のコストダウンを図ることができる。なお、ＳＥＣＣは優れた耐熱性、加工性を有しているため、カバープレートの材料として適している。
【００１１】
また、ランプホルダーの一部に金属を使用した場合、カバーガラスを確実に保持できる構造を一枚の金属プレートで形成するためには複雑な金属加工を施さなければならず、樹脂材料のみを使用してランプホルダーを成形する場合と比べて加工が困難となるが、カバーホルダーの他に、カバーガラスを保持するための保持プレートを使用し、保持プレートとカバープレートでカバーガラスを挟持する構造を採用することにより、複雑な金属加工を施すことなくカバーガラスを確実に保持することができる構造を得ることができる。
【００１２】
さらに、カバープレートにカバーガラスを位置決めするため凸部を形成し、保持プレートにこの凸部に係合する係合孔を設け、これら係合孔と凸部を係合させた状態で保持プレートとカバープレートでカバーガラスを挟持することにより、カバーガラスの位置決めを正確に行うことができる。
【００１３】
請求項２の考案によれば、樹脂製の樹脂カバー部と金属製のカバープレートを組み合わせてランプホルダーを形成することにより、アウトガスの発生を防止すると共に、コストダウンを図ることができる。
【００１４】
請求項３の考案によれば、ランプホルダーは、カバーホルダーの他にカバーガラスを保持するための保持プレートを有することにより、複雑な金属加工を施すことなくカバーガラスを確実に保持することが可能な構造を得ることができる。
【考案を実施するための最良の形態】
【００１５】
以下、本考案を具体化した実施形態について図面を参照して説明する。図１において、画像表示プロジェクタ１は、パソコンやビデオカメラ等から入力される画像信号を基に、内蔵の画像形成素子を用いて画像を形成し、その画像をスクリーンや壁面等に投射表示する装置である。この画像表示プロジェクタ１は、前方に画像を投射するための投射レンズ３０を備え、内部に画像投射用の光を投光するランプユニット２と、画像形成素子にて形成した画像をランプユニット２からの光を用いて投射レンズ３０から投射させる画像投射ユニット３とを内蔵している。また、画像表示プロジェクタ１はランプユニット２を着脱可能な構造になっており、ランプユニット２は画像投射ユニット３に当接するまで筒状のランプハウス４に挿入され、画像表示プロジェクタ１内に設置される。
【００１６】
次に、ランプユニット２及び画像投射ユニット３について図２及び図３を参照して説明する。なお、図２乃至図７においてランプユニット２の投光方向を矢印ａで示し、図２及び図３においてランプユニット２の光学系の光軸を線ｂで示している。
【００１７】
図２（ａ）において、ランプユニット２は、ランプ本体１０とランプ本体１０を収納するランプホルダー２０を備えている。ランプ本体１０は、図３に示されるように、電力供給を受けて光を出射するランプバルブ１１、ランプバルブ１１から出射された光を反射、集光するリフレクタ１２、電力を供給するためのケーブル１３及びコネクタ１４等を備えている。リフレクタ１２は、内面形状が投光方向ａに広がった凹面状になっており、投光側端面に外周フランジ１２ａを有している。このリフレクタ１２は、耐熱性及び反射効率の点からガラスにより形成されている。ランプバルブ１１は、その発光部がリフレクタ１２の略中心に位置するようにリフレクタ１２に一体的に取り付けられている。
【００１８】
ランプホルダー２０は、前面ケース２１、背面ケース２２、及び上面ケース２３から構成されており、これら前面ケース２１、背面ケース２２、上面ケース２３が相互に結合されることによりランプ本体１０を保持する。
【００１９】
前面ケース２１は、ランプ本体１０の前面をカバーするものであり、後述するように、樹脂カバー部４０と、カバープレート５０等により構成されている。また、前面ケース２１は、ランプ本体１０の外周フランジ１２ａが当接される当接面４０ａを有しており、当接面４０ａには、樹脂カバー部側投射窓４２が設けられている。この樹脂カバー部側投射窓４２の直径は、外周フランジ１２ａの直径よりもやや小さく形成されている。また、前面ケース２１のバネ取付孔４３にはコイルバネ２４が取り付けられている。コイルバネ２４は、ランプ本体１０のリフレクタ１２の背面に橋渡した状態で前面ケース２１に取り付けられ（図２（ａ）参照）、その弾性力により、ランプ本体１０の外周フランジ１２ａの前面を樹脂カバー部４０の当接面４０ａに押し当て、外周フランジ１２ａの側面を樹脂カバー部４０の側面部４０ｂの内面及び底面部４０ｄの当接部４４に押し当てて固定するためのものである。
【００２０】
背面ケース２２は、ランプ本体１０の底面及びランプ本体１０の背面の下方をカバーするものであり、底面部８１と、底面部８１に連設された側面部８２，８３及び背面部８４とを備えている。上面ケース２３は、ランプ本体１０の上面及びランプ本体１０の背面の上方をカバーするものであり、天板９１と、天板９１の下面に凸設されたリブ９２と、天板９１に連設された背面部９３とを備えている。
【００２１】
ランプ本体１０は、コイルバネ２４により、リフレクタ１２を樹脂カバー部４０の当接面４０ａ、側面部４０ｂの内面及び当接部４４に押し当てた状態で前面ケース２１に取り付けられる。背面ケース２２は、ランプ本体１０が前面ケース２１に取り付けられた状態で前面ケース２１に結合される。上面ケース２３は、背面ケース２２が前面ケース２１に結合された状態で、前面ケース２１に形成された突起部４５ａ，４５ｂを上面ケース２３の嵌合孔９４ａ，９４ｂに嵌合し、背面ケース２２に形成された突起部８５ａ，８５ｂを上面ケース２３の嵌合孔９５ａ，９５ｂに嵌合し、上面ケース２３のネジ孔９６ａ，９６ｂ、及び背面ケース２２のネジ孔８６ａ，８６ｂを通してネジで固定することにより前面ケース２１及び背面ケース２２に結合される。上面ケース２３を前面ケース２１及び背面ケース２２に結合した状態において、リブ９２は、リフレクタ１２の外周フランジ１２ａを前面ケース２１の当接面４０ａとの間で挟持する。これにより、ランプ本体１０が前面ケース２１から不測に脱落することが防止される。
【００２２】
次に、画像投射ユニット３について説明する。図２（ｂ）において、画像投射ユニット３は、カラーホイール３１、光トンネル３２、ダブレットレンズ３３、画像表示素子３４、及び投射レンズ３０等を備えている。
【００２３】
カラーホイール３１は、赤、青、緑のカラーフィルタが円周方向に沿って配列されたものであり、モータ３１ａにより回転することによって通過する光を時系列的に配色する。カラーホイール３１は、光トンネル３２の光入射口３２ａの前方に回転可能に配置されている。光トンネル３２は、４枚の板ガラスを張り合わせて筒状に構成したものであり、光入射口３２ａに入射された光を四角く凝縮すると共に均一化して光出射口から出射するものである。
【００２４】
ダブレットレンズ３３は、光トンネル３２から出射された光に対して、波長等による影響を補正するものであり、光トンネル３２の光出射口に連結して配設されている。画像表示素子３４は、ダブレットレンズ３３を通った後、反射ミラー及びリレーレンズ（何れも不図示）等を介して導光されてきた光を反射させて画像を生成する。投射レンズ３０は、画像表示素子３４からの反射光、すなわち、画像表示素子３４で生成された画像を投射する。
【００２５】
次に、図５乃至図８を参照して、前面ケース２１を詳細に説明する。前面ケース２１は、カバーガラス７０（図８参照）と、樹脂製の樹脂カバー部４０と、樹脂カバー部４０に取り付けられるＳＥＣＣ製のカバープレート５０と、カバーガラス７０を保持するための金属製の保持プレート６０とを有している。
【００２６】
まず、樹脂カバー部４０について図４及び図５を参照して説明する。図５（ａ）は図４（ａ）におけるＡ−Ａ線断面図を示し、図５（ｂ）は図４（ａ）におけるＢ−Ｂ線断面図を示す。樹脂カバー部４０は、ランプ本体１０が当接する当接面４０ａ、側面部４０ｂ，４０ｃ、及び底面部４０ｄ等により構成されており、開放部４１を有している。開放部４１は、図５（ａ）（ｂ）に示されるように、ランプ本体１０の正面方向の開放部４１ａとランプ本体１０の上面方向の開放部４１ｂにより構成されている。材料として樹脂を用いることにより、樹脂は複雑な形状であっても金属より容易に成形することができるため、ランプ本体１０の形状に合わせて樹脂カバー部４０を成形することができる。このため、前面カバー２１の樹脂カバー部４０は、背面カバー２２及び上面カバー２３と共にランプ本体１０を確実に固定することができる。なお、位置決め凸部材４６ａ〜４６ｃは、図２（ｂ）に示される画像投射ユニット３の位置決め凹部材３５ａ〜３５ｃと当接してランプホルダー２０の光学系の光軸ｂを画像投射ユニットの光学系の光軸に合わせるためのものである。
【００２７】
次に、カバープレート５０について図６（ａ）（ｂ）を参照して説明する。カバープレート５０は、ＳＥＣＣを用いて形成されており、正面プレート部５１と、上面プレート部５２と、カバープレート側投射窓５３と、複数の凸状突起からなる凸部５４ａ〜５４ｇと、ネジ取付孔５５ａ，５５ｂとを有している。なお、ＳＥＣＣは優れた耐熱性、加工性を有しているため、カバープレート５０の材料として適している。正面プレート部５１は、樹脂カバー部４０の開放部４１ａを塞ぐためのものであり、保持プレート６０が取り付けられる中央部分に凹部５６が形成されている。上面プレート部５２は、正面プレート部５１の上端５１ａから延設されており、樹脂カバー部４０の開放部４１ｂを塞ぐためのものである。カバープレート側投射窓５３は正面プレート部５１の凹部５６に形成され、ランプ本体１０から出射される光が通過する部分である。凸部５４ａ〜５４ｇは、カバープレート側投射窓５３の周囲に形成され、カバープレート側投射窓５３に取り付けられるカバーガラス７０（図８参照）を位置決めするためのものである。なお、正面プレート部５１に形成された切欠部５７ａ〜５７ｃは樹脂カバー部４０の位置決め凸部材４６ａ〜４６ｃの位置に合わせて形成されたものである。
【００２８】
上述したように、ランプホルダー２の樹脂カバー部４０は、最も強く投射光が照射されるランプ本体１０の正面方向、及び熱対流により運ばれる高温の空気と触れる上面方向に開放部４１を有し、この開放部４１にはＳＥＣＣ製のカバープレート５０が取り付けられるため、最もアウトガスが発生しやすい位置にはＳＥＣＣ製の部材が配置され、樹脂製の部材が配置されることがない。このため、ランプホルダー２からのアウトガスの発生を防いでカラーホイール３１の品質劣化を防止することができると共に、樹脂カバー部４０の材料には耐熱性の低い樹脂材料を用いることができ、ランプホルダー製造の際のコストダウンを図ることができる。
【００２９】
次に、保持プレート６０について図７（ａ）（ｂ）を参照して説明する。保持プレート６０は、金属により形成されており、ランプ本体１０から出射される光が通過する保持プレート側投射窓６１と、正面プレート部５１の凸部５４ａ〜５４ｄに対応する位置に、この凸部５４ａ〜５４ｄと係合するように形成された係合孔６２ａ〜６２ｄとを有している。保持プレート６０は、カバープレート５０と共にカバーガラス７０を挟持するためのものである。
【００３０】
ランプホルダー２０の一部に金属を使用した場合、カバーガラス７０を確実に保持できる構造を一枚の金属プレートから成形するためには複雑な金属加工を施さなければならず、樹脂のみを使用してランプホルダーを成形する場合と比べて加工が困難となるが、カバーホルダー５０の他にカバーガラス７０を保持するための保持プレート６０を利用して保持プレート６０とカバープレート５０でカバーガラス７０を挟持することにより、複雑な金属加工を施すことなくカバーガラス７０を確実に保持することができる構造を得ることができる。また、カバープレート５０には取り付けられるカバーガラス７０を位置決めするために凸部５４ａ〜５４ｆが形成され、保持プレート６０には凸部５４ａ〜５４ｄに係合する係合孔６２ａ〜６２ｄが設けられているため、カバーガラス７０の位置決めを正確に行うことができる。
【００３１】
これら樹脂カバー部４０、カバープレート５０、保持プレート６０は、以下の手順で組み立てられる。まず、樹脂カバー部４０の開放部４１にカバープレート５０を取り付ける。そして、図８に示されるように、保持プレート６０の係合孔６２ａ〜６２ｄとカバープレート５０の凸部５４ａ〜５４ｄを係合させ、保持プレート６０の側面部６０ａ，６０ｂをカバープレート５０の凸部５４ｅ〜５４ｇで挟み込んだ状態で、保持プレート側投射窓６１の縁部とカバープレート側投射窓５３の縁部でカバーガラス７０を挟持して保持プレート６０をカバープレート５０に取り付ける。そして、この状態で樹脂カバー部４０に形成されたネジ取付孔４７（図４（ｂ）参照）、カバープレート５０に形成されたネジ取付孔５５ｂ（図６（ａ）（ｂ）参照）及び保持プレート６０に形成されたネジ取付孔６３ｂ（図７（ａ）（ｂ）参照）をネジ１００ｂで固定し、カバープレート５０に形成されたネジ取付孔５５ａ（図６（ａ）（ｂ）参照）と保持プレート６０に形成されたネジ取付孔６３ａ（図７（ａ）（ｂ）参照）をネジ１００ａで固定することより前面ケース２１が組み立てられる。
【００３２】
なお、本考案は、上記実施形態の構成に限られず、種々の変形が可能である。例えば、カバープレート５０の材料はＳＥＣＣに限られず、他の金属であってもよい。また、樹脂カバー部４０及びカバープレート５０の形状は上記構成に限られず、最もアウトガスが発生しやすい位置に樹脂カバー部４０の開口部４１を設け、この開口部４１にカバープレート５０が取り付けられる形状であればよい。また、保持プレート６０の形状は、カバープレート５０と共にカバーガラス７０を挟持してカバーガラス７０を確実に保持できる形状であればよい。
【図面の簡単な説明】
【００３３】
【図１】本考案の一実施形態に係る画像表示プロジェクタの分解斜視図。
【図２】（ａ）は同プロジェクタのランプユニットの斜視図、（ｂ）は同プロジェクタの画像投射ユニットの斜視図。
【図３】同ランプユニットの分解斜視図。
【図４】（ａ）は同ランプユニットの樹脂カバー部の斜視図、（ｂ）は同樹脂カバー部の正面図。
【図５】（ａ）は図４（ａ）におけるＡ−Ａ線断面図、（ｂ）は図４（ａ）におけるＢ−Ｂ線断面図。
【図６】（ａ）は同ランプユニットのカバープレートの斜視図、（ｂ）は同カバープレートの正面図。
【図７】（ａ）は同ランプユニットの保持プレートの斜視図、（ｂ）は同保持プレートの正面図。
【図８】同ランプユニットの前面ケースを組み立てた状態の正面図。
【符号の説明】
【００３４】
１    画像表示プロジェクタ
２    ランプユニット
３    画像投射ユニット
１０    ランプ本体
２０    ランプホルダー
２１    前面ケース
２２    背面ケース
２３    上面ケース
３１    カラーホイール
４０    樹脂カバー部
５０    カバープレート
５１    正面プレート部
５２    上面プレート部
５３    カバープレート側投射窓
５４ａ〜５４ｇ    凸部
６０    保持プレート
６１    保持プレート側投射窓
６２ａ〜６２ｄ    係合孔
７０    カバーガラス
【図１】
0003104472.tif 000003
【図２】
0003104472.tif 000004
【図３】
0003104472.tif 000005
【図４】
0003104472.tif 000006
【図５】
0003104472.tif 000007
【図６】
0003104472.tif 000008
【図７】
0003104472.tif 000009
【図８】
0003104472.tif 000010